(57)【特許請求の範囲】
【請求項１】
印刷装置のドライバプログラムをコンピュータにインストールするインストール装置であって、
印刷時に設定されている印刷設定の履歴を蓄積する履歴記憶手段と、
前記印刷設定の履歴を参照する履歴参照手段と、
前記参照した印刷設定の履歴に基づいて、各設定項目毎に設定回数をカウントし、予め規定された判断順序が上位の設定項目について前記設定回数が最も多い設定値を前記上位の各設定項目の印刷設定として決定するとともに、前記判断順序が下位の設定項目について前記設定回数をカウントせずに予め決められた設定値を印刷設定として決定する印刷設定決定手段と、
前記決定された印刷設定を反映させてドライバプログラムをインストールするインストール手段と、
を備えることを特徴とするインストール装置。
【請求項２】
請求項１記載のインストール装置において、前記印刷設定決定手段は、ドライバプログラムがインストールされる印刷装置の機能に基づいて印刷設定を決定することを特徴とするインストール装置。
【請求項３】
請求項１または請求項２記載のインストール装置において、前記印刷設定決定手段は、ユーザ毎に最適な印刷設定を決定することを特徴とするインストール装置。
【請求項４】
請求項１から請求項３のいずれか一項記載のインストール装置において、前記印刷設定決定手段は、印刷装置毎に最適な印刷設定を決定することを特徴とするインストール装置。
【請求項５】
印刷装置のドライバプログラムをコンピュータにインストールするインストールプログラムであって、
印刷時に設定されている印刷設定の履歴を蓄積し、
前記印刷設定の履歴を参照し、
前記参照した印刷設定の履歴に基づいて、各設定項目毎に設定回数をカウントし、予め規定した判断順序が上位の設定項目について前記設定回数が最も多い設定値を前記上位の各設定項目の印刷設定として決定するとともに、前記判断順序が下位の設定項目について前記設定回数をカウントせずに予め決められた設定値を印刷設定として決定し、
前記決定された印刷設定を反映させてドライバプログラムをインストールする処理をコンピュータに実行させることを特徴とするインストールプログラム。
【発明の詳細な説明】
【技術分野】
【０００１】
本発明は、印刷装置のドライバプログラムをコンピュータにインストールするためのインストール装置、インストール方法及びインストールプログラムに関する。
【背景技術】
【０００２】
従来より、プリンタ等の印刷装置を動作させるためのドライバプログラムは、用紙サイズ、用紙方向、両面または片面、カラーまたは白黒等の各種設定項目が設定可能となっている。このような設定項目は、ドライバプログラムがコンピュータにインストールされる際に、印刷装置のベンダーが決定したデフォルト値に設定されるのが一般的である。従って、ユーザが、自分の使用方法により適した状態で印刷装置を使用するには、コンピュータにドライバプログラムをインストールした後に、上記設定項目を変更する必要があり、作業が煩雑であった。
【０００３】
このため、下記特許文献１には、ドライバプログラムをインストールしたときの各設定項目の設定値を記憶しておき、ドライバプログラムの次回インストール時に、この記憶しておいた設定値をデフォルト値として設定するプリンタドライバインストール制御方法が開示されている。
【特許文献１】特開２００３−２８０８４０号公報
【発明の開示】
【発明が解決しようとする課題】
【０００４】
しかし、上記従来の技術においては、ドライバプログラムのインストール時のみに設定値を記憶しているが、ドライバプログラムの次回インストール時に、この記憶しておいた設定値がユーザにとって最適なものであるとは限らないという問題があった。
【０００５】
本発明は、上記従来の課題に鑑みなされたものであり、その目的は、ドライバプログラムのインストール時に、各設定項目を最適な設定値とすることができるインストール装置、インストール方法及びインストールプログラムを提供することにある。
【課題を解決するための手段】
【０００６】
上記目的を達成するために、本発明は、印刷装置のドライバプログラムをコンピュータにインストールするインストール装置であって、印刷時に設定されている印刷設定の履歴を蓄積する履歴記憶手段と、前記印刷設定の履歴を参照する履歴参照手段と、前記参照した印刷設定の履歴に基づいて、ドライバプログラムのインストール時に採用する印刷設定を決定する印刷設定決定手段と、前記決定された印刷設定を反映させてドライバプログラムをインストールするインストール手段と、を備えることを特徴とする。
【０００７】
ここで、上記印刷設定決定手段は、前記印刷設定の履歴から設定回数が多い設定を抽出し、印刷設定として決定することを特徴とする。
【０００８】
上記設定回数は、設定項目毎に求めるか、設定項目に予め判断順序を規定し、この順序が上位の設定項目について求めるのが好適である。
【０００９】
また、上記印刷設定決定手段は、ドライバプログラムがインストールされる印刷装置の機能に基づいて印刷設定を決定することを特徴とする。
【００１０】
また、上記印刷設定決定手段は、ユーザ毎にあるいは印刷装置毎に最適な印刷設定を決定するのが好適である。
【００１１】
また、上記印刷設定決定手段は、印刷装置毎に最適な印刷設定を決定するのが好適である。
【００１２】
また、本発明は、印刷装置のドライバプログラムをコンピュータにインストールするインストール方法であって、印刷時に設定されている印刷設定の履歴を蓄積するステップと、前記印刷設定の履歴を参照するステップと、前記参照した印刷設定の履歴に基づいて、ドライバプログラムのインストール時に採用する印刷設定を決定するステップと、前記決定された印刷設定を反映させてドライバプログラムをインストールするステップと、を備えることを特徴とする。
【００１３】
また、本発明は、印刷装置のドライバプログラムをコンピュータにインストールするインストールプログラムであって、印刷時に設定されている印刷設定の履歴を蓄積し、前記印刷設定の履歴を参照し、前記参照した印刷設定の履歴に基づいて、ドライバプログラムのインストール時に採用する印刷設定を決定し、前記決定された印刷設定を反映させてドライバプログラムをインストールする処理をコンピュータに実行させることを特徴とする。
【発明を実施するための最良の形態】
【００１４】
以下、本発明を実施するための最良の形態（以下、実施形態という）を、図面に従って説明する。
【００１５】
実施形態１．
図１には、本発明にかかるインストール装置の実施形態１のブロック図が示される。図１において、インストール装置１０は、設定取得部１２、履歴参照部１４、設定決定部１６、インストール部１８、通信部２０及び記憶部２２を含んで構成されている。また、インストール装置１０は、ローカルエリアネットワーク（ＬＡＮ）等の適宜なネットワーク２４を介してプリンタ等の印刷装置２６に接続されている。なお、インストール装置１０は、ドライバプログラムがインストールされるコンピュータに設けられてもよいし、ドライバプログラムがインストールされるコンピュータとは別のコンピュータに設けられ、ネットワーク２４を介して接続されている他のコンピュータにドライバプログラムをインストールするように構成してもよい。
【００１６】
上記設定取得部１２は、印刷装置２６により画像データを印刷する際に、印刷装置２６に対して発行される印刷指示に含まれる各種設定項目の設定値を取得し、記憶部２２に印刷設定の履歴として記憶させる。なお、上記各種設定項目の設定値は、印刷動作毎に、ネットワーク２４及び通信部２０を介して印刷装置２６から取得するように構成してもよい。ここで、設定項目としては、例えば用紙サイズ、用紙方向、両面または片面、カラーまたは白黒等の値がある。
【００１７】
履歴参照部１４は、印刷装置２６のドライバプログラムをコンピュータにインストールする際に、上記記憶部２２に記憶された印刷設定の履歴を参照し、参照結果の履歴データを設定決定部１６に渡す処理を行う。
【００１８】
設定決定部１６は、上記渡された印刷設定の履歴に基づいて、ドライバプログラムのインストール時に採用する印刷設定を決定する。この決定方法としては、例えば、印刷設定の履歴から設定回数が多い設定項目の組合せを抽出する方法がある。また、設定決定部１６は、ドライバプログラムがコンピュータにインストールされる印刷装置２６が有する機能に基づいて印刷設定を決定するように構成するのが好適である。これにより、例えば、両面印刷機能のない印刷装置２６の印刷設定を決定する際に、上記印刷設定の履歴の中から両面印刷を実行したときのデータを除いて判断することができ、より印刷装置２６に適した印刷設定を決定することができる。
【００１９】
インストール部１８は、上記設定決定部１６が決定した印刷設定を反映させて、印刷装置２６のドライバプログラムをコンピュータにインストールする。
【００２０】
通信部２０は、公知の方法によりネットワーク２４を介して印刷装置２６等と通信し、印刷設定情報その他のデータをやり取りする。
【００２１】
記憶部２２は、例えばＣＰＵの作業用のＲＡＭ、不揮発性メモリとしてのフラッシュメモリ、磁気記憶媒体等で構成されたコンピュータ読み取り可能な記憶媒体であり、各種データ及びプログラム等を記憶する。また、設定取得部１２が取得した印刷装置２６の各種設定項目の設定値を、印刷設定の履歴として記憶する。この場合の記憶部２２が、本発明の履歴記憶手段に相当する。
【００２２】
なお、上述したインストール装置１０は、ＣＰＵを中心として構成されたコンピュータであり、ハードディスクその他の媒体に格納されたプログラムをＣＰＵが実行することで各機能が実現される。
【００２３】
図２には、上記記憶部２２に格納された印刷設定の履歴の例が示される。図２の例では、印刷装置２６による印刷動作が実行される度に、印刷日時とともに印刷時に設定されていた印刷設定が記録されている。ここで、印刷設定の設定項目としては、使用したプリンタ名、印刷部数、部単位で印刷が行われたか、用紙サイズ、用紙の向き、両面・片面の区別、カラー・白黒の区別、印刷用紙１頁当たりの画像頁数（Ｎｕｐとして表示）等が含まれる。
【００２４】
図３には、本実施形態にかかるインストール装置において、上記印刷設定の履歴を作成する際の動作のフローが示される。図３において、インストール装置１０が設けられたコンピュータが、ユーザの指示入力に基づき、印刷装置２６に対する印刷指示を発行し、あるいは他のコンピュータから印刷指示を受け取ると、設定取得部１２が、印刷指示に含まれる各種設定項目の設定値を取得する（Ｓ１）。
【００２５】
次に、設定取得部１２は、記憶部２２に印刷設定の履歴を格納するための履歴格納フォルダがあるか否かを確認し（Ｓ２）、履歴格納フォルダがある場合には、そこにＳ１で取得した各種設定項目の設定値を記憶させ、印刷設定の履歴を更新する（Ｓ３）。
【００２６】
一方、Ｓ２において、履歴格納フォルダがない場合には、設定取得部１２が記憶部２２に履歴格納フォルダを作成し（Ｓ４）、そこにＳ１で取得した各種設定項目の設定値を記憶させる（Ｓ５）。
【００２７】
図４には、本実施形態にかかるインストール装置において、ドライバプログラムをインストールする際の動作のフローが示される。図４において、ユーザからドライバプログラムのインストール指示があると（Ｓ１１）、履歴参照部１４が、記憶部２２に履歴格納フォルダが存在しているか否かを確認する（Ｓ１２）。履歴格納フォルダが存在している場合には、履歴参照部１４が、履歴格納フォルダに格納されている印刷設定の履歴を参照し、参照結果の履歴データを設定決定部１６に渡す（Ｓ１３）。この設定決定部１６が、本発明の印刷設定決定手段に相当する。
【００２８】
次に、設定決定部１６が、上記渡された履歴データに基づいて、ドライバプログラムのインストール時に採用する印刷設定を決定する（Ｓ１４）。この場合、設定決定部１６は、上記参照結果の履歴データから、各設定項目の設定回数をカウントする。
【００２９】
図５には、このカウント結果の例が示される。図５の例では、上記履歴データに基づき、各設定項目が同一の設定値となっている組合せ毎に設定回数をカウントしている。図５の場合、設定値が（Ａ４、たて、片面、１ｕｐ、カラー）となっている組合せの設定回数が２５回で最も多いので、設定決定部１６は上記設定値の組合せを最適な印刷設定として決定する。この場合、ドライバプログラムがインストールされる印刷装置２６の機能に応じて印刷設定を決定する。図５の例では、印刷装置２６に両面印刷機能がなく、片面印刷機能のみを有する場合が示されており、「両面・片面」の設定項目の設定値が（片面）の場合の設定回数がカウントされている。
【００３０】
なお、前述したように、最適な印刷設定の決定方法としては、設定項目毎に設定回数をカウントし、設定項目毎に最も設定回数が多い設定値を抽出して最適な印刷設定を決定してもよい。また、設定項目に予め判断順序を規定しておき、この順序が上位の設定項目について設定回数をカウントし、最も設定回数が多い設定値を抽出して最適な印刷設定とし、順序が下位の設定項目については、予め設定値を決めておくようにしてもよい。このような例が図６に示される。
【００３１】
図６において、各設定項目毎に設定回数がカウントされており、例えば「用紙サイズ」ではＡ４の設定回数が３０回で最も多いので（Ａ４）が最適値と判断される。以降、同様にして、「両面・片面」では（片面）が、「用紙方向」では（たて）が、「カラーモード」では（カラー）が、それぞれ最適値と判断される。これににより、各設定項目毎に最適な設定値を決定できる。また、上述したように、「用紙サイズ」、「両面・片面」、「用紙方向」につき、この順序で最適値を決定し、「カラーモード」については、設定回数をカウントせずに予め（カラー）を設定しておいてもよい。これにより、最適な設定値の決定処理を簡略化することができる。
【００３２】
設定決定部１６が最適な印刷設定を決定すると、インストール部１８が、この印刷設定を、ドライバプログラムのインストール時にデフォルトの設定として採用するか否かをユーザに問い合わせる（Ｓ１５）。この問い合わせは、例えばインストール装置１０が設けられたコンピュータの表示画面に問い合わせの文言を表示することにより行う。ユーザがデフォルトの設定として採用する旨の指示をコンピュータに入力すると、インストール部１８は、上記設定決定部１６が決定した印刷設定を反映させ（Ｓ１６）、所定のドライバプログラムを所定のコンピュータにインストールする（Ｓ１７）。
【００３３】
また、Ｓ１５において、ユーザがデフォルトの設定として採用しない旨の指示をコンピュータに入力すると、ドライバプログラムにベンダーが設定した印刷設定のままで所定のコンピュータにインストールする（Ｓ１７）。
【００３４】
以上の動作により、ドライバプログラムのインストール時に、各設定項目を最適な設定値とすることができる。
【００３５】
実施形態２．
本実施形態では、印刷設定の履歴を、インストール装置１０の記憶部２２の代わりに、印刷装置２６が保持している。この印刷設定の履歴は、例えば印刷装置２６は変更せずに、そのドライバプログラムをバージョンアップする際等に使用される。
【００３６】
図７には、印刷装置２６に保持された印刷設定の履歴の例が示される。図７において、特徴的な点は、印刷装置２６としてのプリンタの名称（プリンタ名）の代わりに、印刷装置２６に印刷データを送信したユーザ側のコンピュータ名（ユーザ名）が印刷動作の実行の度に記録されている点である。これにより、ユーザ毎に最適な印刷設定を決定することができる。なお、印刷装置２６に保持される印刷設定の履歴も、図３に示されたフローと同様の動作を印刷装置２６側で実行することにより作成できる。
【００３７】
図８には、本実施形態にかかるインストール装置１０と印刷装置２６とにより、ドライバプログラムを所望のコンピュータにインストールする際の動作のフローが示される。図８において、まず図７に示された印刷設定の履歴を図３に示されたフローと同様の方法により作成し、印刷装置２６側に保持しておく（Ｓ１０１）。
【００３８】
次に、インストール装置１０の設定取得部１２から印刷装置２６に対して、ユーザ情報をパラメータとした印刷設定の履歴の取得命令を送信する（Ｓ１０２）。この命令は、通信部２０を介し、例えばＳＮＭＰプロトコルを利用したＭＩＢのコマンド等を使用して送信することができる。
【００３９】
上記命令を受信した印刷装置２６は、受信した取得命令からユーザを識別するためのユーザ情報を抽出し（Ｓ１０３）、当該ユーザの印刷設定の履歴が存在するか否かを確認する（Ｓ１０４）。当該ユーザの印刷設定の履歴が存在する場合には、その印刷設定の履歴をインストール装置１０に送信する（Ｓ１０５）。一方、当該ユーザの印刷設定の履歴が存在しない場合には、存在しない旨をインストール装置１０に送信する（Ｓ１０６）。
【００４０】
インストール装置１０の設定取得部１２は、印刷装置２６から印刷設定の履歴が取得できたか否かを確認し（Ｓ１０７）、取得できた場合はその印刷設定の履歴を記憶部２２に格納する。
【００４１】
次に、インストール装置１０の履歴参照部１４が、記憶部２２に格納されている印刷設定の履歴を参照し、参照結果の履歴データを設定決定部１６に渡す（Ｓ１０８）。
【００４２】
次に、設定決定部１６が、上記渡された履歴データに基づいて、ドライバプログラムのインストール時に採用する印刷設定を決定する（Ｓ１０９）。この決定方法は、図４のＳ１４及び図５で説明したものと同様の手順とすることができる。
【００４３】
設定決定部１６が最適な印刷設定を決定すると、インストール部１８が、この印刷設定を、ドライバプログラムのインストール時にデフォルトの設定として採用するか否かをユーザに問い合わせる（Ｓ１１０）。ユーザがデフォルトの設定として採用する旨の指示をコンピュータに入力すると、インストール部１８は、上記設定決定部１６が決定した印刷設定を反映させ（Ｓ１１１）、所定のドライバプログラムを所定のコンピュータにインストールする（Ｓ１１２）。
【００４４】
また、Ｓ１０７において、印刷装置２６から印刷設定の履歴が取得できなかった場合、またはＳ１１０において、ユーザがデフォルトの設定として採用しない旨の指示をコンピュータに入力した場合には、ドライバプログラムにベンダーが設定した印刷設定のままで所定のコンピュータにインストールする（Ｓ１１２）。
【００４５】
なお、上記本実施形態の説明では、図１に示されたインストール装置１０の構成が印刷装置２６とは別のコンピュータに設けられていることが前提となっているが、これには限定されない。例えば、インストール装置１０の構成のうち、設定取得部１２、履歴参照部１４及び設定決定部１６を印刷装置２６に設けてもよい。この場合、印刷設定の履歴の作成及び最適な印刷設定の決定を印刷装置２６側で実行し、インストール装置１０からの要求に応じて上記決定した印刷設定をインストール装置１０に送信する構成となる。
【００４６】
実施形態３．
本実施形態においても実施形態２と同様に、印刷設定の履歴を印刷装置２６が保持している。この印刷設定の履歴は、例えば印刷装置２６は変更せずに、そのドライバプログラムをバージョンアップする際等に使用される。
【００４７】
図９には、印刷装置２６に保持された印刷設定の履歴の例が示される。図９において、特徴的な点は、印刷装置２６に印刷データを送信したユーザを区別せずに、印刷設定の履歴が記録されている点である。これにより、印刷装置２６毎に最適な印刷設定を決定することができる。なお、印刷装置２６に保持される印刷設定の履歴も、図３に示されたフローと同様の動作を印刷装置２６側で実行することにより作成できる。
【００４８】
図１０には、本実施形態にかかるインストール装置１０と印刷装置２６とにより、ドライバプログラムを所望のコンピュータにインストールする際の動作のフローが示される。図１０において、まず図９に示された印刷設定の履歴を図３に示されたフローと同様の方法により作成し、印刷装置２６側に保持しておく（Ｓ２０１）。
【００４９】
次に、インストール装置１０の設定取得部１２から印刷装置２６に対して、印刷設定の履歴の取得命令を送信する（Ｓ２０２）。この命令は、通信部２０を介し、例えばＳＮＭＰプロトコルを利用したＭＩＢのコマンド等を使用して送信することができる。
【００５０】
上記命令を受信した印刷装置２６は、印刷設定の履歴が存在するか否かを確認する（Ｓ２０３）。印刷設定の履歴が存在する場合には、その印刷設定の履歴をインストール装置１０に送信する（Ｓ２０４）。一方、印刷設定の履歴が存在しない場合には、存在しない旨をインストール装置１０に送信する（Ｓ２０５）。
【００５１】
インストール装置１０の設定取得部１２は、印刷装置２６から印刷設定の履歴が取得できたか否かを確認し（Ｓ２０６）、取得できた場合はその印刷設定の履歴を記憶部２２に格納する。
【００５２】
次に、インストール装置１０の履歴参照部１４が、記憶部２２に格納されている印刷設定の履歴を参照し、参照結果の履歴データを設定決定部１６に渡す（Ｓ２０７）。
【００５３】
次に、設定決定部１６が、上記渡された履歴データに基づいて、ドライバプログラムのインストール時に採用する印刷設定を決定する（Ｓ２０８）。この決定方法は、図４のＳ１４及び図５で説明したものと同様の手順とすることができる。
【００５４】
設定決定部１６が最適な印刷設定を決定すると、インストール部１８が、この印刷設定を、ドライバプログラムのインストール時にデフォルトの設定として採用するか否かをユーザに問い合わせる（Ｓ２０９）。ユーザがデフォルトの設定として採用する旨の指示をコンピュータに入力すると、インストール部１８は、上記設定決定部１６が決定した印刷設定を反映させ（Ｓ２１０）、所定のドライバプログラムを所定のコンピュータにインストールする（Ｓ２１１）。
【００５５】
また、Ｓ２０６において、印刷装置２６から印刷設定の履歴が取得できなかった場合、またはＳ２０９において、ユーザがデフォルトの設定として採用しない旨の指示をコンピュータに入力した場合には、ドライバプログラムにベンダーが設定した印刷設定のままで所定のコンピュータにインストールする（Ｓ２１１）。
【００５６】
なお、上記本実施形態においても、実施形態２と同様に、図１に示されたインストール装置１０の構成が印刷装置２６とは別のコンピュータに設けられていることが前提となっているが、これには限定されない。例えば、インストール装置１０の構成のうち、設定取得部１２、履歴参照部１４及び設定決定部１６を印刷装置２６に設けてもよい。この場合、印刷設定の履歴の作成及び最適な印刷設定の決定を印刷装置２６側で実行し、インストール装置１０からの要求に応じて上記決定した印刷設定をインストール装置１０に送信する構成となる。
【００５７】
実施形態４．
図１１には、本発明かかるインストール装置の実施形態４における動作例のフローが示される。本実施形態では、すでに説明した実施形態１、実施形態２及び実施形態３の動作を選択可能に構成されている。
【００５８】
図１１において、ユーザからドライバプログラムのインストール指示があると（Ｓ３０１）、ユーザに対して、印刷装置２６に格納された印刷設定の履歴を使用するか否かを問い合わせる（Ｓ３０２）。この問い合わせは、例えばインストール装置１０が設けられたコンピュータの表示画面に問い合わせの文言を表示することにより行う。
【００５９】
ユーザが、印刷装置２６に格納された印刷設定の履歴を使用しない旨の指示をコンピュータに入力すると、図４に示されたフローのＡにステップが移行し、インストール装置１０の記憶部２２に格納された印刷設定の履歴に基づいて、印刷設定が決定される。
【００６０】
一方、ユーザが、印刷装置２６に格納された印刷設定の履歴を使用する旨の指示をコンピュータに入力すると、さらにユーザに対して、ユーザ毎に印刷設定を最適化するか否かを問い合わせる（Ｓ３０３）。ここで、ユーザ毎に印刷設定を最適化する旨の指示をコンピュータに入力すると、図８に示されたフローのＢにステップが移行し、印刷装置２６に格納された印刷設定の履歴を使用し、かつユーザ毎に最適な印刷設定が決定される。
【００６１】
また、ユーザ毎に印刷設定を最適化しない旨の指示をコンピュータに入力すると、図１０に示されたフローのＣにステップが移行し、印刷装置２６毎に最適な印刷設定が決定される。
【図面の簡単な説明】
【００６２】
【図１】本発明にかかるインストール装置の実施形態１のブロック図である。
【図２】印刷設定の履歴の例を示す図である。
【図３】実施形態１にかかるインストール装置において、印刷設定の履歴を作成する際の動作のフロー図である。
【図４】実施形態１にかかるインストール装置において、ドライバプログラムをインストールする際の動作のフロー図である。
【図５】各設定項目の設定回数をカウントした結果を示す図である。
【図６】各設定項目の設定回数をカウントした他の結果を示す図である。
【図７】印刷設定の履歴の他の例を示す図である。
【図８】実施形態２にかかるインストール装置において、ドライバプログラムをインストールする際の動作のフロー図である。
【図９】印刷設定の履歴のさらに他の例を示す図である。
【図１０】実施形態３にかかるインストール装置において、ドライバプログラムをインストールする際の動作のフロー図である。
【図１１】実施形態４にかかるインストール装置において、ドライバプログラムをインストールする際の動作のフロー図である。
【符号の説明】
【００６３】
１０  インストール装置、１２  設定取得部、１４  履歴参照部、１６  設定決定部、１８  インストール部、２０  通信部、２２  記憶部、２４  ネットワーク、２６  印刷装置。
【図１】
0004736625.tif 000002
【図２】
0004736625.tif 000003
【図３】
0004736625.tif 000004
【図４】
0004736625.tif 000005
【図５】
0004736625.tif 000006
【図６】
0004736625.tif 000007
【図７】
0004736625.tif 000008
【図８】
0004736625.tif 000009
【図９】
0004736625.tif 000010
【図１０】
0004736625.tif 000011
【図１１】
0004736625.tif 000012